(57)【要約】【課題】添加剤をカップ本体内に添加する操作と、ストローを挿し込む操作と、を同時に行えるようにすることで、操作性を向上させることができる。【解決手段】内容物が収容されるとともに、開口端が第１シール材４によって封止されたカップ本体２と、カップ本体２に装着されるとともに、第１シール材４を覆いかつ第１シール材４を破断する切刃部材５が備えられた蓋体３と、を備え、蓋体３には、添加剤が収容されるとともに密封された収容室３１と、切刃部材５と対向する位置に配置されるとともに、ストローが挿通される挿通部３８と、が形成され、ストローを挿通部３８に挿し込んだときに、切刃部材５がストローにより押し下げられて第１シール材４を破断するとともに、収容室３１を開放してカップ本体２内と収容室３１内とを連通する構成の蓋付きカップ容器１を提供する。【選択図】図２
2014141300.tif 000002
【特許請求の範囲】
【請求項１】
内容物が収容されるとともに、開口端が第１シール材によって封止されたカップ本体と、
該カップ本体に装着されるとともに、前記第１シール材を覆いかつ該第１シール材を破断する切刃部材が備えられた蓋体と、
を備える蓋付きカップ容器であって、
前記蓋体には、
添加剤が収容されるとともに密封された収容室と、
前記切刃部材と対向する位置に配置されるとともに、ストローが挿通される挿通部と、
が形成され、
前記ストローを前記挿通部に挿し込んだときに、前記切刃部材が前記ストローにより押し下げられて前記第１シール材を破断するとともに、前記収容室を開放して前記カップ本体内と前記収容室内とを連通することを特徴とする蓋付きカップ容器。
【請求項２】
前記蓋体は、内部が前記収容室とされた有頂筒状に形成され、その開放端が第２シール材で閉塞され、
前記切刃部材は、前記第２シール材と前記蓋体の天壁部との間に配設されていることを特徴とする請求項１に記載の蓋付きカップ容器。
【請求項３】
前記切刃部材は、前記蓋体にヒンジ部を介して連結されていることを特徴とする請求項１又は２に記載の蓋付きカップ容器。
【請求項４】
前記蓋体には周壁部が備えられ、
前記周壁部の径方向の内側に嵌合するとともに、前記切刃部材を有する切刃リングが設けられ、
前記周壁部の内面には、周方向の一部に係止凹部が形成されていることを特徴とする請求項１又は２に記載の蓋付きカップ容器。
【発明の詳細な説明】
【技術分野】
【０００１】
本発明は、蓋付きカップ容器に関するものである。
【背景技術】
【０００２】
この種の蓋付きカップ容器として、従来、例えば下記特許文献１に示されるように、蓋体に形成された挿通部にストローを挿し込んで、内容物をストローを通して吸い上げる構成が知られている。
また、例えば下記特許文献２に示されるように、添加剤が収容された副容器が蓋体に離脱自在に装着された蓋付きカップ容器が知られている。
【先行技術文献】
【特許文献】
【０００３】
【特許文献１】実公平０６−２８４３３号公報
【特許文献２】実公平０６−３４３１０号公報
【発明の概要】
【発明が解決しようとする課題】
【０００４】
しかしながら、上述した従来の蓋付きカップ容器では、添加剤をカップ本体内に添加する操作と、ストローを挿し込む操作と、を各別に行うため、操作性に改善の余地があった。
【０００５】
本発明は、このような事情に鑑みてなされたものであって、添加剤をカップ本体内に添加する操作と、ストローを挿し込む操作と、を同時に行えるようにすることで、操作性を向上させることができる蓋付きカップ容器を提供することを目的とする。
【課題を解決するための手段】
【０００６】
上記の目的を達成するために、この発明は以下の手段を提供している。
本発明に係る蓋付きカップ容器は、内容物が収容されるとともに、開口端が第１シール材によって封止されたカップ本体と、該カップ本体に装着されるとともに、前記第１シール材を覆いかつ該第１シール材を破断する切刃部材が備えられた蓋体と、を備える蓋付きカップ容器であって、前記蓋体には、添加剤が収容されるとともに密封された収容室と、前記切刃部材と対向する位置に配置されるとともに、ストローが挿通される挿通部と、が形成され、前記ストローを前記挿通部に挿し込んだときに、前記切刃部材が前記ストローにより押し下げられて前記第１シール材を破断するとともに、前記収容室を開放して前記カップ本体内と前記収容室内とを連通することを特徴としている。
【０００７】
本発明に係る蓋付きカップ容器によれば、ストローを挿通部に挿通させて挿し込むと、切刃部材がストローにより押し下げられて第１シール材を破断するとともに、収容室が開放されてカップ本体内と収容室内とが連通される。このように第１シール材を開封することにより、蓋体の収容室内の添加剤を第１シール材の破断によって形成された開口部を通じてカップ本体内に流入させて添加することができる。
以上により、ストローを挿し込む操作をすることで、同時に蓋体内の添加剤をカップ本体内に添加する操作も行うことができる。
【０００８】
また、本発明に係る蓋付きカップ容器では、前記蓋体は、内部が前記収容室とされた有頂筒状に形成され、その開放端が第２シール材で閉塞され、前記切刃部材は、前記第２シール材と前記蓋体の天壁部との間に配設されていることが好ましい。
【０００９】
この場合には、蓋体の開放端が第２シール材で閉塞されているので、収容室の密封性を高めることができる。
しかも、切刃部材が第２シール材と第１シール材との間ではなく、第２シール材と蓋体の天壁部との間に配設されているので、ストローによって押し下げられた切刃部材によって第２シール材を破断させることができ、ストローで第２シール材を破断させる場合に比べて操作性を向上させることができる。
【００１０】
また、本発明に係る蓋付きカップ容器では、前記切刃部材は、前記蓋体にヒンジ部を介して連結されていることが好ましい。
【００１１】
この場合、ストローが挿し込まれたときに、切刃部材がヒンジ部を中心にして回転することで押し下げられる。そのため、押し下げられた切刃部材がヒンジ部によって蓋体に保持されるので、切刃部材が第１シール材の破断部分を通過してカップ本体内に落下するのを防ぐことができる。
【００１２】
また、本発明に係る蓋付きカップ容器では、前記蓋体には周壁部が備えられ、前記周壁部の径方向の内側に嵌合するとともに、前記切刃部材を有する切刃リングが設けられ、前記周壁部の内面には、周方向の一部に係止凹部が形成されていることが好ましい。
【００１３】
この場合には、蓋体における周壁部の係止凹部に切刃リングを嵌合させることにより、蓋体の挿通部の位置に合わせて切刃部材を周方向に位置合わせすることができる。
【発明の効果】
【００１４】
本発明に係る蓋付きカップ容器によれば、添加剤をカップ本体内に添加する操作と、ストローを挿し込む操作と、を同時に行えるようにすることで、操作性を向上させることができる。
【図面の簡単な説明】
【００１５】
【図１】本発明の第１の実施形態による蓋付きカップ容器の縦断面図である。
【図２】図１に示す蓋付きカップ容器において開蓋した状態を示す縦断面図である。
【図３】図１の蓋付きカップ容器においての開封した状態を示す縦断面図である。
【図４】本発明の第２の実施形態による蓋付きカップ容器の縦断面図である。
【図５】図４に示す蓋付きカップ容器において開蓋した状態を示す縦断面図である。
【図６】図５に示すＡ−Ａ線矢視図であって、切刃部材を下方から見た図である。
【図７】図４の蓋付きカップ容器においての開封した状態を示す縦断面図である。
【図８】本発明の第３の実施形態による蓋付きカップ容器の縦断面図である。
【図９】図８示すＢ−Ｂ線矢視図であって、切刃リングを省略して切刃部材を下方から見た図である。
【図１０】図８の蓋付きカップ容器において開蓋した状態を示す縦断面図である。
【発明を実施するための形態】
【００１６】
以下、本発明に係る蓋付きカップ容器の実施形態について図面を参照して説明する。
【００１７】
（第１の実施形態）
図１及び図２に示すように、本実施形態の蓋付きカップ容器１は、内容物が収容されるとともに、開口端２ａが第１シール材４によって封止されたカップ本体２と、カップ本体２に装着されるとともに、第１シール材４を覆いかつ第１シール材４を破断する切刃部材５が備えられた蓋体３と、を備えている。
【００１８】
カップ本体２は、横断面視で円形状の有底筒状に形成されている。以下、横断面がなす円形状の中心を通る直線を容器軸Ｏという。この容器軸Ｏ方向に沿った開口端２ａ側を上側といい、底部２ｂ側を下側という。また、容器軸Ｏに直交する方向を径方向といい、容器軸Ｏ回りに周回する方向を周方向という。
【００１９】
カップ本体２の胴部２１は、上側から下側に向かうに従い漸次縮径している。また、カップ本体２の開口端２ａには、その径方向の外側に向けて突出するフランジ部２２が全周にわたって設けられている。このフランジ部２２の上面には前記第１シール材４が貼着されて、前記開口端２ａが封止されている。そして、胴部２１の下部の内面には、周方向に沿って延びる環状突部２３が形成されている。
【００２０】
蓋体３は、有頂筒状に形成され、容器軸Ｏと同軸に配置されている。この蓋体３には、添加剤が収容されるとともに密封された収容室３１が設けられている。具体的に蓋体３は、周壁部３２と、天壁部３３と、周壁部３２の開放端３２ａに嵌合されるとともに前記切刃部材５が形成された底壁部３４と、を備えている。これら周壁部３２、天壁部３３、及び底壁部３４によって囲まれる空間が、前記収容室３１となる。
【００２１】
周壁部３２は、下方から上端に向かうに従い漸次縮径するように形成されている。
周壁部３２の下方には、該周壁部３２より大径をなし、内側にカップ本体２のフランジ部２２が嵌合される装着筒３５が連結壁３６を介して設けられている。装着筒３５の内周面には、全周にわたって径方向内側に向けて突出した係合凸部３５ａが形成されている。これにより、蓋体３をカップ本体２に装着することで、連結壁３６の下面がフランジ部２２に上側から当接するとともに係合凸部３５ａがフランジ部２２の下面側に係合し、蓋体３がカップ本体２に固定される。
【００２２】
連結壁３６の下面には、第２シール材３７が貼着されて、周壁部３２の開放端３２ａが封止されている。
天壁部３３には、切刃部材５と対向する位置（上面視で容器軸Ｏを有する位置）に配置されるとともに、図３に示すストロー６が挿通される薄肉の挿通部３８が形成されている。
【００２３】
底壁部３４は、底板３４ａと、底板３４ａの外周縁から下方に向けて延びるシール筒３４ｂと、が連設され、シール筒３４ｂが周壁部３２の径方向内側に嵌合している。また、底板３４ａには、第１シール材４及び第２シール材３７を破断して開封するための前記切刃部材５が形成されている。
つまり、切刃部材５を備えた底壁部３４は、第２シール材３７と蓋体３の天壁部３３との間に配設されている。
【００２４】
切刃部材５は、有頂筒状に形成され、その天壁が下側に向いて突となる凹部５３を形成し、凹部５３の外周縁に沿う外周部５４が径方向内側に向かうに従い漸次上方に向けて延在している。切刃部材５は、その外周縁部のうち、一部がヒンジ部５１を介して底壁部３４の底板３４ａに連結され、他の部分が弱化部５２を形成して底壁部３４の底板３４ａに連結されている。
【００２５】
このように構成される切刃部材５は、上方から押圧することにより、弱化部５２が破断するとともに、ヒンジ部５１を中心として下側に向けて回動可能とされている。なお、凹部５３の凹底部５３ａはヒンジ部５１に対向する径方向で容器軸Ｏから離れて位置しているので、ストロー６で前記凹底部５３ａを押し込むことで、弱化部５２が容易に破断される構成となっている。
【００２６】
このように蓋付きカップ容器１は、図３に示すように、ストロー６を挿通部３８に挿し込んだときに、切刃部材５がストロー６により押し下げられて第２シール材３７及び第１シール材４をその順で破断するとともに、蓋体３の収容室３１を開放してカップ本体２内と収容室３１内とを連通するように構成されている。
【００２７】
以上説明した本実施形態による蓋付きカップ容器によれば、以下の作用効果を奏する。
図１に示すような前記蓋付きカップ容器１内の内容物を飲む際には、ストロー６を蓋体３の天壁部３３に形成されている薄肉の挿通部３８に挿通させて挿し込むと、図３に示すように、切刃部材５が弱化部５２で破断されてヒンジ部５１回りに下向きに回動される。すなわち、切刃部材５がストロー６により押し下げられて第２シール材３７及び第１シール材４に到達し、それら第２シール材３７及び第１シール材４を破断するとともに、収容室３１が開放されてカップ本体２内と収容室３１内とが連通される。
このように第１シール材４を開封することにより、蓋体３の収容室３１内の添加剤が第１シール材４の破断によって形成された開口部Ｒを通じてカップ本体２内に流入させて添加することができる。
【００２８】
以上により、ストロー６を挿し込む操作をすると同時に、蓋体３内の添加剤をカップ本体２内に添加する操作も行うことができ、操作性を向上させることができるという効果を奏する。
【００２９】
また、本実施形態の蓋付きカップ容器１では、蓋体３における周壁部３２の開放端３２ａが第２シール材３７で閉塞されているので、収容室３１の密封性を高めることができる。
しかも、切刃部材５が第２シール材３７と第１シール材４との間ではなく、第２シール材３７と蓋体３の天壁部３３との間に配設されているので、ストロー６によって押し下げられた切刃部材５によって第２シール材３７を破断させることができ、ストローで第２シール材を破断させる場合に比べて操作性を向上させることができる。
【００３０】
また、本実施形態では、切刃部材５が蓋体３にヒンジ部５１を介して連結されているので、ストロー６が挿し込まれたときに、切刃部材５がヒンジ部５１を中心にして回転することで押し下げられる。そのため、押し下げられた切刃部材５がヒンジ部５１によって蓋体３に保持されるので、切刃部材５が第１シール材４の破断部分（図３に示す開口部Ｒ）を通過してカップ本体２内に落下するのを防ぐことができる。
【００３１】
次に、本発明の蓋付きカップ容器による他の実施形態について、図面に基づいて説明するが、上述の第１の実施形態と同一又は同様な部材、部分には同一の符号を用いて説明を省略し、異なる構成についてのみ説明する。
【００３２】
（第２の実施形態）
図４及び図５に示すように、第２の実施形態による蓋付きカップ容器１Ａは、切刃部材５の位置を蓋体３の天壁部３３に連続して設けた構成であり、上述した第１の実施形態の底壁部３４（図１参照）が省略されている。つまり、第２の実施形態では、周壁部３２、天壁部３３、及び第２シール材３７によって囲まれる空間が、収容室３１となる。
【００３３】
蓋体３の天壁部３３には、容器軸Ｏと同軸の円形開口穴が形成され、この開口周縁部３３ａから下方に向けて内筒３９が垂設されている。内筒３９は、内径がストロー６（図７参照）の外径よりも大きく、かつ下端が第２シール材３７よりも上方に位置するように構成されている。そして、内筒３９の下端縁には、第１シール材４及び第２シール材３７を破断して開封するための切刃部材５Ａが連結されている。
【００３４】
天壁部３３の上面には、第３シール材７が貼着されている。第３シール材７のうち、前記切刃部材５Ａと対向する位置に配置される部分が、ストロー６（図７参照）が挿通される挿通部７ａとなる。なお、第３シール材７は、省略することも可能あり、この場合、上記天壁部３３の開口周縁部３３ａがストロー６が挿通される挿通部となる。
【００３５】
切刃部材５Ａは、図５及び図６に示すように、下側に向いて突となる切刃５５が複数（図６では３つ）形成されている。切刃部材５Ａの外周縁部のうち、一部がヒンジ部５１を介して内筒３９の下端縁に連結され、他の部分が弱化部５２を形成して内筒３９の下端縁に連結されている。
【００３６】
図７に示すように、第２の実施形態では、ストロー６を蓋体３の天壁部３３に貼着されている第３シール材７の挿通部７ａに挿通させて挿し込むと、切刃部材５Ａが弱化部５２で破断されてヒンジ部５１回りに下向きに回動される。すなわち、切刃部材５Ａがストロー６により押し下げられて第２シール材３７及び第１シール材４に到達し、それら第２シール材３７及び第１シール材４を破断するとともに、収容室３１が開放されてカップ本体２内と収容室３１内とが連通される。
このように第１シール材４を開封することにより、蓋体３の収容室３１内の添加剤を第１シール材４の破断によって形成された開口部Ｒを通じてカップ本体２内に流入させて添加することができる。
【００３７】
（第３の実施形態）
図８及び図９に示すように、第３の実施形態による蓋付きカップ容器１Ｂは、蓋体３が接続リング８を介してカップ本体２に装着されている。ここで、接続リング８は、容器軸Ｏと同軸に配置されている。
蓋体３の周壁部３２の内面には、径方向の内側に向けて突出する複数の蓋体側突起部３２ｂが周方向に間欠的に、あるいは全周にわたって延びる環状に形成されている。これら蓋体側突起部３２ｂは、複数の蓋体３を容器軸Ｏ方向に積み重ねる際に、一方の蓋体３の天壁部３３が他方の蓋体３の蓋体側突起部３２ｂに下方から当接して、両者が密着するのを抑制するためのものである。これにより、スタック性を向上させることができ、一方の蓋体３を他方の蓋体３から簡単に離脱させることができる。
また、周壁部３２の内面には、下端側の周方向の一部に係止凹部３２ｃが形成されている。この係止凹部３２ｃに後述する切刃リング５０の係止凸部５６ａが嵌合することにより、蓋体３の挿通部３８と後述する切刃部材５Ｂとを周方向に位置合わせすることができる。
【００３８】
蓋体３は、周壁部３２の下端縁に、径方向の外側に向けて突出するフランジ部３２Ａが全周にわたって形成されている。すなわち、上述した第１の実施形態の装着筒３５（図１参照）が省略されている。フランジ部３２Ａの下面には、周壁部３２の下端開口を閉塞する第２シール材３７が貼着されている。
そして、蓋体３の内側、すなわち周壁部３２、及び天壁部３３で画成された内側空間には、収容室３１を画成され、この収容室３１に切刃リング５０が配置されている。また、蓋体３のフランジ部３２Ａは、接続リング８を間に挟んで上述したカップ本体２のフランジ部２２に容器軸Ｏ方向で突き合わされている。
【００３９】
天壁部３３は、径方向の内側部分が外周部分に比べて下方に向けて窪む凹部３３ｂを有している。この凹部３３ｂの底面のうち、容器軸Ｏに対して径方向の一方側に位置する部分には、凹部３３ｂを容器軸Ｏ方向に貫通して収容室３１内に開口する前記挿通部３８が形成されている。ここで、平面視で容器軸Ｏに対して挿通部３８が形成される位置の方向を一方向Ｘという。
【００４０】
切刃リング５０は、蓋体３の周壁部３２の径方向の内側に嵌合する嵌合筒５６と、嵌合筒５６の内側で一方向Ｘに直交する径方向に向けて延びる第１連結片５７Ａと、一方向Ｘに沿って延び、延在方向の一端が第１連結片５７Ａの中心に、他端が嵌合筒５６の内周面に接続する第２連結片５７Ｂと、一方向Ｘに沿って延在し、基端部がヒンジ部５８を介して第１連結片５７Ａに連結され、かつ先端部に下側に向けて突出する切刃５９が形成された切刃部材５Ｂと、を備えている。第１連結片５７Ａ及び第２連結片５７Ｂは、断面視でＨ形状をなしている。
嵌合筒５６は、蓋体３の下端開口を閉塞する第２シール材３７と、蓋体３の周壁部３２に形成される複数の蓋体側突起部３２ｂと、の間に挟持されるように配置されている。
【００４１】
切刃部材５Ｂは、蓋体３の天壁部３３との間に間隔をあけて配置されるとともに、ヒンジ部５８から一方向Ｘに沿って前記一端側に向けて延在している。そして、この切刃部材５Ｂの一方向Ｘにおける一端部の上面には、前記一端側に向かうに従い漸次上方に延びる傾斜面５ｂが形成されている。この傾斜面５ｂのヒンジ部５８側の基端部分が、蓋体３の挿通部３８に下側から対向している。これにより、ストロー６を蓋体３の挿通部３８より挿し込んだときに、ストロー６の一端側への滑り移動を傾斜面５ｂによって抑えることができ、切刃部材５Ｂをヒンジ部５８回りに下向きに回動させることができる。
また、切刃部材５Ｂは、一方向Ｘに位置する部分の下面がヒンジ部５８から一端側に向かうに従い、漸次上方から下方に向けて延在しており、この下端部が先鋭形状の切刃５９となっている。
【００４２】
接続リング８は、リング本体部８１と、リング本体部８１から径方向の内側に向けて突設された内フランジ部８２と、を備えている。
リング本体部８１は、カップ本体２及び蓋体３のうち、少なくともフランジ部２２，３２Ａを径方向の外側から囲繞する筒状とされている。リング本体部８１の下部には、カップ本体２のフランジ部２２を下方から支持するカップ側支持部８３が径方向の内側に向けて突設されている。一方、リング本体部８１の上部には、蓋体３のフランジ部３２Ａを上方から支持する蓋側支持部８４が径方向の内側に向けて突設されている。これにより、蓋体３が接続リング８を介してカップ本体２に着脱可能に装着されている。なお、上述した各支持部８３，８４は、全周にわたって形成しても、周方向に間欠的に形成しても構わない。
【００４３】
内フランジ部８２は、リング本体部８１のうち、容器軸Ｏ方向に沿う上述した各支持部８３，８４同士の間に位置する部分から径方向の内側に向けて突設され、カップ本体２及び蓋体３における各フランジ部２２，３２Ａに容器軸Ｏ方向で挟持されている。
【００４４】
内フランジ部８２の下面には、下方に向けて突出する第１保持部８５が形成されている。第１保持部８５は、内フランジ部８２の全周にわたって形成され、カップ本体２のフランジ部２２を下方に向けて付勢している。一方、内フランジ部８２の上面には、上方に向けて突出する第２保持部８６が形成されている。第２保持部８６は、内フランジ部８２の全周にわたって形成され、蓋体３のフランジ部３２Ａを上方に向けて付勢している。
そして、これら各保持部８５，８６により、カップ本体２及び蓋体３のフランジ部２２，３２Ａを各支持部８３，８４に安定して支持させることができるとともに、接続リング８の内フランジ部８２とカップ本体２及び蓋体３の各フランジ部２２，３２Ａとの間を確実にシールできる。
接続リング８には、リング本体部８１の内側で一方向Ｘに直交する径方向に向けて延びる断面視でＨ形状の連結片８７が設けられている。
【００４５】
第３の実施形態では、蓋付きカップ容器１Ｂ内の内容物を飲む際には、ストロー６を蓋体３の天壁部３３に形成されている薄肉の挿通部３８に挿通させて挿し込むと、図１０に示すように、切刃リング５０の切刃部材５Ｂがヒンジ部５８回りに下向きに回動される。すなわち、切刃部材５Ｂがストロー６により押し下げられて蓋体３の下端開口を閉塞する第２シール材３７、次いで接続リング８の下側に位置する第１シール材４に到達し、その第２シール材３７及び第１シール材４を破断するとともに、収容室３１が開放されてカップ本体２内と収容室３１内とが連通される。このように第２シール材３７及び第１シール材４を開封することにより、蓋体３の収容室３１内の添加剤を前記破断によって形成された開口部Ｒを通じてカップ本体２内に流入させて添加することができる。
以上により、ストロー６を挿し込む操作をすると同時に、蓋体３内の添加剤をカップ本体２内に添加する操作も行うことができ、操作性を向上させることができるという効果を奏する。
【００４６】
なお、本発明の技術範囲は、上記実施形態に限定されるものではなく、本発明の趣旨を逸脱しない範囲において、種々の変更を加えることが可能である。
【００４７】
例えば、上述の実施形態では、切刃部材５、５Ａがヒンジ部５１を介して蓋体３に連結されているが、ヒンジ部５１を設けることに限定されることはなく、切刃部材５、５Ａの全周を弱化部５２により蓋体３に連結することも可能である。
【００４８】
また、第１実施形態では、切刃部材５が有頂筒状に形成されているが、これに限定されることはなく、有底筒状に形成することも可能である。要は、切刃部材５が押し下げられる前に第１シール材４や第２シール材３７に接触しない位置に設けられていればよいのである。
【００４９】
また、上記の第１の実施形態の蓋付きカップ容器１では、蓋体３における周壁部３２の開放端３２ａが第２シール材３７で閉塞された構成としているが、この第２シール材３７は設けなくても良い。
【００５０】
さらに、カップ本体２や、蓋体３の周壁部３２、天壁部３３などの形状も適宜変更することが可能である。
【００５１】
その他、本発明の趣旨を逸脱しない範囲で、上記した実施形態における構成要素を周知の構成要素に置き換えることは適宜可能である。
【符号の説明】
【００５２】
１、１Ａ、１Ｂ  蓋付きカップ容器
２  カップ本体
３  蓋体
４  第１シール材
５、５Ａ、５Ｂ  切刃部材
６  ストロー
７  第３シール材
７ａ  挿通部
８  接続リング
３１  収容室
３２  周壁部
３３  天壁部
３４  底壁部
３４ａ  底板
３７  第２シール材
３８  挿通部
５０  切刃リング
５１  ヒンジ部
５２  弱化部
５３  凹部
５５、５９  切刃
Ｏ  容器軸
【図１】
2014141300.tif 000003
【図２】
2014141300.tif 000004
【図３】
2014141300.tif 000005
【図４】
2014141300.tif 000006
【図５】
2014141300.tif 000007
【図６】
2014141300.tif 000008
【図７】
2014141300.tif 000009
【図８】
2014141300.tif 000010
【図９】
2014141300.tif 000011
【図１０】
2014141300.tif 000012